(57)【特許請求の範囲】
【請求項１】
第１の範囲内の第２の範囲の領域を特定する情報が指定された際に、前記第２の範囲の領域を特定する情報と、前記第１の範囲の外縁を特定する情報を含んだ前記第１の範囲の領域を特定する情報と、を対応付けて記憶する記憶部を参照して、前記第１の範囲の外縁を表す画像を、前記第２の範囲の領域を表す画像と対応付けて表示する、
制御部を有し、
前記第１の範囲の領域を特定する情報は、前記第２の範囲の領域と同一比率で前記第１の範囲の外縁を縮小表示する第１のサムネイル画像を含み、
前記第２の範囲の領域を特定する情報は、前記第２の範囲の領域を縮小表示する第２のサムネイル画像を含み、
前記制御部は、
前記第２の範囲の領域を縮小表示する第２のサムネイル画像が指定された際に、前記記憶部を参照して、前記第１の範囲の外縁を縮小表示する第１のサムネイル画像を、前記第２の範囲の領域を縮小表示する第２のサムネイル画像と対応付けて表示し、前記第２の範囲の領域を縮小表示する第２のサムネイル画像が所定のフォーム上に移動されたことに応じて、当該第２のサムネイル画像に換えて前記第２の範囲の領域を表す画像を表示するとともに、前記第１の範囲の外縁を表す画像を、前記第２の範囲の領域を表す画像と対応付けて表示する、ことを特徴とする画像表示装置。
【請求項２】
前記制御部は、
前記第１の範囲内における前記第２の範囲の相対的な位置関係に基づいて、前記第２の範囲の領域を表す画像を、前記第１の範囲の外縁を表す画像に重ねて表示する、ことを特徴とする請求項１に記載の画像表示装置。
【請求項３】
前記制御部は、
第１の範囲内の第２の範囲が指定されたことに応じて、前記第１の範囲の領域を特定する情報を、前記第２の範囲の領域を特定する情報と対応付けて前記記憶部に記録する、ことを特徴とする請求項１又は２に記載の画像表示装置。
【請求項４】
コンピュータが、
第１の範囲内の第２の範囲の領域を特定する情報の指定を受け付け、
前記第２の範囲の領域を特定する情報が指定された際に、前記第２の範囲の領域を特定する情報と、前記第１の範囲の外縁を特定する情報を含んだ前記第１の範囲の領域を特定する情報と、を対応付けて記憶する記憶部を参照して、前記第１の範囲の外縁を表す画像を、前記第２の範囲の領域を表す画像と対応付けて表示し、
前記第１の範囲の領域を特定する情報は、前記第２の範囲の領域と同一比率で前記第１の範囲の外縁を縮小表示する第１のサムネイル画像を含み、
前記第２の範囲の領域を特定する情報は、前記第２の範囲の領域を縮小表示する第２のサムネイル画像を含み、
前記第２の範囲の領域を縮小表示する第２のサムネイル画像が指定された際に、前記記憶部を参照して、前記第１の範囲の外縁を縮小表示する第１のサムネイル画像を、前記第２の範囲の領域を縮小表示する第２のサムネイル画像と対応付けて表示し、前記第２の範囲の領域を縮小表示する第２のサムネイル画像が所定のフォーム上に移動されたことに応じて、当該第２のサムネイル画像に換えて前記第２の範囲の領域を表す画像を表示するとともに、前記第１の範囲の外縁を表す画像を、前記第２の範囲の領域を表す画像と対応付けて表示する、
処理を実行することを特徴とする画像表示方法。
【請求項５】
コンピュータに、
第１の範囲内の第２の範囲の領域を特定する情報の指定を受け付け、
前記第２の範囲の領域を特定する情報が指定された際に、前記第２の範囲の領域を特定する情報と、前記第１の範囲の外縁を特定する情報を含んだ前記第１の範囲の領域を特定する情報と、を対応付けて記憶する記憶部を参照して、前記第１の範囲の外縁を表す画像を、前記第２の範囲の領域を表す画像と対応付けて表示し、
前記第１の範囲の領域を特定する情報は、前記第２の範囲の領域と同一比率で前記第１の範囲の外縁を縮小表示する第１のサムネイル画像を含み、
前記第２の範囲の領域を特定する情報は、前記第２の範囲の領域を縮小表示する第２のサムネイル画像を含み、
前記第２の範囲の領域を縮小表示する第２のサムネイル画像が指定された際に、前記記憶部を参照して、前記第１の範囲の外縁を縮小表示する第１のサムネイル画像を、前記第２の範囲の領域を縮小表示する第２のサムネイル画像と対応付けて表示し、前記第２の範囲の領域を縮小表示する第２のサムネイル画像が所定のフォーム上に移動されたことに応じて、当該第２のサムネイル画像に換えて前記第２の範囲の領域を表す画像を表示するとともに、前記第１の範囲の外縁を表す画像を、前記第２の範囲の領域を表す画像と対応付けて表示する、
処理を実行させることを特徴とする画像表示プログラム。
【発明の詳細な説明】
【技術分野】
【０００１】
本発明は、画像表示装置、画像表示方法、および画像表示プログラムに関する。
【背景技術】
【０００２】
従来、複数のカメラにより、ユーザの手指などの対象物を３次元的に捉え、簡単なジェスチャー操作に応じて、テーブルなどの載置面に置いた新聞や雑誌などの資料をスキャンしたり、スキャンした画像を載置面に投影したりする技術がある。
【０００３】
先行技術としては、例えば、画面を新規作成する際に指定された用途と同じ用途の画面を、記憶部に記憶された画面の中から用途情報に基づいて抽出し、記憶された固有種別の実質使用面積に基づいて、抽出した各画面に順位を設定して一覧表示する技術がある。また、コピー＆ペースト時に、項目、サイズおよびペースト内容を記録しておき、ペーストされた項目数、ファイル全体に対するペーストされたデータサイズを基に、そのペーストの重要度を判定する技術がある。また、切り抜き形状が、画像上の所望位置に置かれ、所望の大きさに拡大または縮小された場合、切り抜き形状の識別子と位置とサイズを画像の属性として登録し、登録された画像の属性に基づき、画像の切り抜き形状内部を切り抜き画像として出力する技術がある。
【先行技術文献】
【特許文献】
【０００４】
【特許文献１】特開２０１２−１５５３６７号公報
【特許文献２】国際公報第２０１２／１６４６４８号
【特許文献３】特開平０８−２６３６３３号公報
【発明の概要】
【発明が解決しようとする課題】
【０００５】
しかしながら、従来技術では、例えば、新聞や雑誌などから切り抜かれた部分が、元の新聞や雑誌などにおいてどの程度重要なものであったのかを判断することが難しい。例えば、秘書の業務として「クリッピング業務」がある。クリッピング業務では、秘書は、上司や関連部門等へ資料を提供するために、新聞や雑誌などの記事をデータ化して保存しておき、保存された各記事データを組み合わせて新たなレイアウトの資料を作成する。ところが、新たなレイアウトの資料を作成する際に、記事データの内容だけでは、それが元の文書においてどの程度重要であったのかということを判断できず、記事データを選定したり、記事データの配置位置や配置順序を決めたりするのが困難なものとなることがある。
【０００６】
一つの側面では、本発明は、第１の範囲内の第２の範囲の領域が、第１の範囲の大きさに対してどのような大きさで配されていたのかを分かりやすく表示する画像表示装置、画像表示方法、および画像表示プログラムを提供することを目的とする。
【課題を解決するための手段】
【０００７】
本発明の一側面によれば、第１の範囲内の第２の範囲の領域を特定する情報の指定を受け付け、前記第２の範囲の領域を特定する情報が指定された際に、前記第２の範囲の領域を特定する情報と、前記第１の範囲の外縁を特定する情報を含んだ前記第１の範囲の領域を特定する情報とを対応付けて記憶する記憶部を参照して、前記第１の範囲の外縁を表す画像を、前記第２の範囲の領域を表す画像と対応付けて表示し、前記第１の範囲の領域を特定する情報は、前記第２の範囲の領域と同一比率で前記第１の範囲の外縁を縮小表示する第１のサムネイル画像を含み、前記第２の範囲の領域を特定する情報は、前記第２の範囲の領域を縮小表示する第２のサムネイル画像を含み、前記第２の範囲の領域を縮小表示する第２のサムネイル画像が指定された際に、前記記憶部を参照して、前記第１の範囲の外縁を縮小表示する第１のサムネイル画像を、前記第２の範囲の領域を縮小表示する第２のサムネイル画像と対応付けて表示し、前記第２の範囲の領域を縮小表示する第２のサムネイル画像が所定のフォーム上に移動されたことに応じて、当該第２のサムネイル画像に換えて前記第２の範囲の領域を表す画像を表示するとともに、前記第１の範囲の外縁を表す画像を、前記第２の範囲の領域を表す画像と対応付けて表示する、画像表示装置、画像表示方法、および画像表示プログラムが提案される。
【発明の効果】
【０００９】
本発明の一態様によれば、第１の範囲内の第２の範囲の領域が、第１の範囲の大きさに対してどのような大きさで配されていたのかを分かりやすく表示することができるという効果を奏する。
【図面の簡単な説明】
【００１０】
【図１】図１は、実施の形態にかかる画像表示装置１００の一実施例を示す説明図である。
【図２】図２は、画像表示装置１００のハードウェア構成例を示すブロック図である。
【図３】図３は、切り抜き作業時の操作例を示す説明図（その１）である。
【図４】図４は、切り抜き作業時の操作例を示す説明図（その２）である。
【図５】図５は、記事ＤＢ５００の記憶内容の一例を示す説明図である。
【図６】図６は、画像表示装置１００の機能的構成例を示すブロック図である。
【図７】図７は、貼り付け作業時の操作例を示す説明図（その１）である。
【図８】図８は、貼り付け作業時の操作例を示す説明図（その２）である。
【図９】図９は、貼り付け作業時の操作例を示す説明図（その３）である。
【図１０】図１０は、貼り付け作業時の操作例を示す説明図（その４）である。
【図１１】図１１は、貼り付け作業時の操作例を示す説明図（その５）である。
【図１２】図１２は、ファイルＤＢ１２００の記憶内容の一例を示す説明図である。
【図１３】図１３は、画像表示装置１００の取り込み処理手順の一例を示すフローチャートである。
【図１４】図１４は、外縁取り込み処理の具体的処理手順の一例を示すフローチャートである。
【図１５】図１５は、記事取り込み処理の具体的処理手順の一例を示すフローチャートである。
【図１６】図１６は、画像表示装置１００のレイアウト処理手順の一例を示すフローチャートである。
【図１７】図１７は、貼り付け支援処理の具体的処理手順の一例を示すフローチャート（その１）である。
【図１８】図１８は、貼り付け支援処理の具体的処理手順の一例を示すフローチャート（その２）である。
【図１９】図１９は、登録処理の具体的処理手順の一例を示すフローチャートである。
【発明を実施するための形態】
【００１１】
以下に図面を参照して、本発明にかかる画像表示装置、画像表示方法、および画像表示プログラムの実施の形態を詳細に説明する。
【００１２】
（実施の形態）
図１は、実施の形態にかかる画像表示装置１００の一実施例を示す説明図である。図１において、画像表示装置１００は、例えば、新聞や雑誌などの文書から指定された記事をデジタルデータとして保存し、保存された各データを組み合わせて新たなレイアウトの文書を作成する際の作業を支援するコンピュータである。
【００１３】
画像表示装置１００は、ヘッド部１１０と、レッグ部１２０と、ベース部１３０と、を有する。レッグ部１２０は、ヘッド部１１０とベース部１３０とを接続する。ベース部１３０は、画像表示装置１００の土台となる部分である。画像表示装置１００は、例えば、テーブル１４０上にベース部１３０を置いて立たせた状態で使用される。テーブル１４０は、文書ｄｃを置く載置面を有する。文書ｄｃは、例えば、新聞、雑誌、チラシなどである。
【００１４】
ヘッド部１１０には、第１カメラ１１１，１１２と、第２カメラ１１３と、プロジェクタ１１４と、が設けられている。第１カメラ１１１，１１２は、所定距離離れて設けられており、第２カメラ１１３は、第１カメラ１１１，１１２の間に設けられている。画像表示装置１００は、第１カメラ１１１，１１２により撮像される画像の視差を用いて、テーブル１４０上の対象物（例えば、ユーザの手指）の３次元画像を生成することができる。
【００１５】
これにより、画像表示装置１００は、テーブル１４０上のユーザの手指の立体的な画像を得ることができ、テーブル１４０の載置面に置かれた文書ｄｃに対してどのような操作（例えば、タップ操作、タッチ操作、ドラッグ操作）を行ったのかを判断することができる。
【００１６】
なお、複数のカメラ（例えば、第１カメラ１１１，１１２）により撮像される画像から、ユーザの手指などの対象物を３次元的に捉えて、タップ操作などの入力操作を検出する技術については、例えば、特開２０１４−２０４１９６号公報を参照することができる。
【００１７】
第２カメラ１１３は、載置面（例えば、テーブル１４０の載置面）に置かれた文書ｄｃを撮像する撮像装置である。第２カメラ１１３には、例えば、第１カメラ１１１，１１２よりも解像度の高い撮像装置が使用される。プロジェクタ１１４は、投影面（例えば、テーブル１４０の載置面）に画像を投影する投影装置である。例えば、プロジェクタ１１４は、第２カメラ１１３によって撮像された画像を投影する。
【００１８】
画像表示装置１００は、テーブル１４０の載置面に置かれた文書ｄｃから、ユーザにより指定された範囲の画像データを取り込むことができる。これにより、ユーザは、例えば、新聞や雑誌などの文書ｄｃのうちの所望の記事を含む領域の画像データを記録することができる。記事は、例えば、文書ｄｃ内の文、写真、図、グラフ、数式などを含む。
【００１９】
以下の説明では、載置面に置かれた文書ｄｃのうちのユーザにより指定された範囲の画像データを「記事画像の画像データ」と表記する場合がある。
【００２０】
また、ユーザは、テーブル１４０の載置面に表示される貼付フォームＦ（例えば、後述の図７参照）上に、記録された記事画像の画像データを配置することにより、新たなレイアウトの資料を作成することができる。記事は、例えば、文書ｄｃに記載された文章のほかに、文書ｄｃに掲載された写真、グラフ、図などを含む。
【００２１】
以下の説明では、テーブル１４０の載置面に置かれた文書ｄｃから所望の記事を含む範囲を指定して、当該範囲の画像データを記録する作業を「切り抜き作業」と表記する場合がある。また、貼付先フォーム上に記事画像を配置して、新たなレイアウトの文書を作成する作業を「貼り付け作業」と表記する場合がある。
【００２２】
なお、図１に示した画像表示装置１００は一実施例であり、他の形態であってもよい。例えば、第１カメラ１１１，１１２と第２カメラ１１３とを別々に設けることにしたが、第１カメラ１１１，１１２のいずれかのカメラを、テーブル１４０の載置面に置かれた文書ｄｃを撮像する撮像装置として用いることにしてもよい。
【００２３】
（画像表示装置１００のハードウェア構成例）
図２は、画像表示装置１００のハードウェア構成例を示すブロック図である。図２において、画像表示装置１００は、ＣＰＵ（Ｃｅｎｔｒａｌ  Ｐｒｏｃｅｓｓｉｎｇ  Ｕｎｉｔ）２０１と、メモリ２０２と、Ｉ／Ｆ（Ｉｎｔｅｒｆａｃｅ）２０３と、ディスクドライブ２０４と、ディスク２０５と、第１カメラ１１１，１１２と、第２カメラ１１３と、プロジェクタ１１４と、を有する。また、各構成部は、バス２００によってそれぞれ接続される。
【００２４】
ここで、ＣＰＵ２０１は、画像表示装置１００の全体の制御を司る。メモリ２０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ２０１のワークエリアとして使用される。メモリ２０２に記憶されるプログラムは、ＣＰＵ２０１にロードされることで、コーディングされている処理をＣＰＵ２０１に実行させる。
【００２５】
Ｉ／Ｆ２０３は、通信回線を通じてネットワークに接続され、ネットワークを介して外部装置に接続される。ネットワークは、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。そして、Ｉ／Ｆ２０３は、ネットワークと内部のインターフェースを司り、外部装置からのデータの入出力を制御する。Ｉ／Ｆ２０３には、例えば、モデムやＬＡＮアダプタなどを採用することができる。
【００２６】
ディスクドライブ２０４は、ＣＰＵ２０１の制御に従ってディスク２０５に対するデータのリード／ライトを制御する。ディスク２０５は、ディスクドライブ２０４の制御で書き込まれたデータを記憶する。ディスク２０５としては、例えば、磁気ディスク、光ディスクなどが挙げられる。
【００２７】
なお、画像表示装置１００は、上述した構成部のほか、例えば、ＳＳＤ（Ｓｏｌｉｄ  Ｓｔａｔｅ  Ｄｒｉｖｅ）、キーボード、マウス、ディスプレイなどを有することにしてもよい。
【００２８】
（切り抜き作業）
つぎに、テーブル１４０の載置面に置かれた文書ｄｃから所望の記事を含む範囲を指定して、当該範囲の画像データを記録する切り抜き作業時の操作例について説明する。
【００２９】
図３および図４は、切り抜き作業時の操作例を示す説明図である。
【００３０】
（３−１）画像表示装置１００は、例えば、ユーザのタップ操作により、走査開始ボタンＢ１が押下されると、テーブル１４０の載置面に置かれた文書ｄｃの読み込みを開始する。なお、各種ボタンＢ１〜Ｂ３は、プロジェクタ１１４によりテーブル１４０の載置面に投影された画像である。
【００３１】
具体的には、例えば、画像表示装置１００は、第２カメラ１１３によりテーブル１４０の載置面全体を走査して、色や輝度の差から文書ｄｃと載置面との境界を検出し、文書ｄｃの各頂点の座標を取り込む。これにより、文書ｄｃの外縁（図３中、点線枠３００）を形成する各頂点の座標を取り込むことができる。
【００３２】
（３−２）画像表示装置１００は、例えば、ユーザのタップ操作により、テーブル１４０の載置面に置かれた文書ｄｃ内のいずれかの範囲の指定を受け付ける。具体的には、ユーザは、例えば、文書ｄｃのうちの所望の記事を含む範囲の頂点を順にタップすることにより、画像データを取り込む範囲を指定することができる。ここでは、ユーザのタップ操作により、文書ｄｃ上の頂点ｋ１〜ｋ７が指定されている。
【００３３】
（３−３）画像表示装置１００は、文書ｄｃ内のいずれかの範囲の指定が完了すると、当該範囲の画像データを取り込む。例えば、画像表示装置１００は、ユーザのタップ操作により、文書ｄｃの領域外がタップされたことに応じて、範囲の指定が完了したと判断する。また、画像表示装置１００は、例えば、ユーザのタップ操作により、完了ボタンＢ２が押下されたことに応じて、範囲の指定が完了したと判断してもよい。
【００３４】
ここでは、文書ｄｃ上の頂点ｋ１〜ｋ７が指定された後に、文書ｄｃの領域外がタップされている。この場合、画像表示装置１００は、例えば、指定された各頂点ｋ１〜ｋ７を順に結ぶ線分と、頂点ｋ１（開始点）と頂点ｋ７（終了点）とを結ぶ線分とからなる範囲（閉領域）を走査して、当該範囲の画像データを取り込む。
【００３５】
これにより、ユーザは、テーブル１４０の載置面に置かれた文書ｄｃのうちの所望の記事を含む範囲の画像データを記録することができる。
【００３６】
また、画像表示装置１００は、記事画像の画像データの取り込みが完了すると、プロジェクタ１１４により、記事画像を縮小して表示する記事サムネイル（例えば、記事サムネイルｓｄ１）を、テーブル１４０の載置面上（例えば、文書ｄｃの左側の領域）に表示することにしてもよい。これにより、ユーザは、文書ｄｃのうち画像データを取り込み済みの範囲を確認することができる。
【００３７】
また、記事画像の画像データは、例えば、文書ｄｃの外縁（図３中、点線枠３００）を形成する各頂点の座標と対応付けて、図５に示す記事ＤＢ（データベース）５００に記録される。記事ＤＢ５００は、例えば、図２に示したメモリ２０２、ディスク２０５などの記憶装置により実現される。
【００３８】
（記事ＤＢ５００の記憶内容）
図５は、記事ＤＢ５００の記憶内容の一例を示す説明図である。図５において、記事ＤＢ５００は、記事ＩＤ、記事画像の画像データ、記事画像の頂点の座標、ページ外縁画像の頂点の座標、記事サムネイルの画像データ、記事サムネイルの頂点の座標および外縁サムネイルの頂点の座標のフィールドを有する。各フィールドに情報を設定することで、記事情報（例えば、記事情報５００−１〜５００−３）がレコードとして記憶される。
【００３９】
ここで、記事ＩＤは、記事画像を一意に識別する識別子である。記事画像の画像データは、文書ｄｃ内のいずれかの範囲の画像データである。記事画像の頂点の座標は、文書ｄｃ内のいずれかの範囲の各頂点の座標である。ページ外縁画像の頂点の座標は、文書ｄｃの外縁を形成する各頂点の座標である。
【００４０】
記事サムネイルの画像データは、記事画像を縮小して表示するサムネイルの画像データである。記事サムネイルの頂点の座標は、記事画像を縮小して表示するサムネイルの各頂点の座標である。外縁サムネイルの頂点の座標は、ページ外縁画像を縮小して表示するサムネイルの各頂点の座標である。
【００４１】
なお、記事情報には、例えば、各画像（記事画像、記事サムネイル、ページ外縁画像、外縁サムネイル）の中心を示す座標が含まれていてもよい。さらに、記事情報には、例えば、ページ外縁画像の画像データと外縁サムネイルの画像データが含まれていてもよい。
【００４２】
（画像表示装置１００の機能的構成例）
図６は、画像表示装置１００の機能的構成例を示すブロック図である。図６において、画像表示装置１００は、取得部６０１と、生成部６０２と、受付部６０３と、記録部６０４と、表示制御部６０５と、登録部６０６と、を含む構成である。取得部６０１〜登録部６０６は制御部となる機能であり、具体的には、例えば、図２に示したメモリ２０２、ディスク２０５などの記憶装置に記憶されたプログラムをＣＰＵ２０１に実行させることにより、または、Ｉ／Ｆ２０３により、その機能を実現する。各機能部の処理結果は、例えば、メモリ２０２、ディスク２０５などの記憶装置に記憶される。
【００４３】
取得部６０１は、第１の範囲の頂点の座標を取得する。ここで、第１の範囲は、例えば、テーブル１４０の載置面に置かれた文書ｄｃを含む範囲である。具体的には、例えば、取得部６０１は、テーブル１４０の載置面上に表示された走査開始ボタンＢ１（例えば、図３参照）がタップ（押下）されたことに応じて、第２カメラ１１３によりテーブル１４０の載置面全体を走査する。そして、取得部６０１は、色や輝度の差から文書ｄｃと載置面との境界を検出し、文書ｄｃの各頂点の絶対座標ｇｇｇ１〜ｇｇｇｍを取り込む（ｍ：３以上の自然数）。
【００４４】
これにより、第１の範囲の頂点の座標として、テーブル１４０の載置面に置かれた文書ｄｃの外縁を形成する各頂点の絶対座標ｇｇｇ１〜ｇｇｇｍを取得することができる。絶対座標ｇｇｇ１〜ｇｇｇｍは、例えば、テーブル１４０の載置面上のｘ軸とｙ軸とからなる直交座標系の座標である。また、例えば、文書ｄｃの外縁の形状が矩形の場合、ｍは「４」となる。
【００４５】
生成部６０２は、第１の範囲の領域を表す画像データを生成する。ここで、第１の範囲の領域を表す画像データは、例えば、第１の範囲の外縁を表すものであってもよく、また、第１の範囲の領域全面を表すものであってもよい。
【００４６】
具体的には、例えば、まず、生成部６０２は、取得された絶対座標ｇｇｇ１〜ｇｇｇｍを、絶対座標ｇｇｇ１を原点として相対座標ｇｇ１〜ｇｇｍに変換する。そして、生成部６０２は、変換した相対座標ｇｇ１〜ｇｇｍに基づいて、ページ外縁画像の画像データを生成する。ページ外縁画像は、例えば、文書ｄｃの外縁を点線や実線により表す画像である。これにより、第１の範囲の領域を表す画像データとして、文書ｄｃの外縁を表すページ外縁画像の画像データを生成することができる。
【００４７】
また、生成部６０２は、例えば、第２カメラ１１３により、テーブル１４０の載置面に置かれた文書ｄｃを走査することにより、文書ｄｃ全面を表すページ画像を生成することにしてもよい。これにより、第１の範囲の領域を表す画像データとして、文書ｄｃ全面を表すページ画像の画像データを生成することができる。
【００４８】
また、生成部６０２は、第１の範囲の領域を縮小表示するサムネイル画像の画像データを生成することにしてもよい。具体的には、例えば、生成部６０２は、ページ外縁画像（または、ページ画像）の頂点の相対座標ｇｇ１〜ｇｇｍのｘ，ｙ成分をＮで割ることにより、相対座標ｇ１〜ｇｍに変換する。なお、Ｎの値は、任意に設定可能であり、例えば、１０〜２０程度に設定される。
【００４９】
そして、生成部６０２は、変換した相対座標ｇ１〜ｇｍに基づいて、外縁サムネイル（または、ページサムネイル）の画像データを生成する。外縁サムネイルは、例えば、１／Ｎの文書ｄｃの外縁を点線や実線により表す画像である。ページサムネイルは、例えば、１／Ｎの文書ｄｃ全面を表す画像である。
【００５０】
これにより、第１の範囲の領域を縮小表示するサムネイル画像の画像データとして、ページ外縁画像（または、ページ画像）を１／Ｎで縮小表示する外縁サムネイル（または、ページサムネイル）の画像データを生成することができる。
【００５１】
受付部６０３は、第１の範囲内の第２の範囲の指定を受け付ける。ここで、第２の範囲は、例えば、テーブル１４０の載置面に置かれた文書ｄｃ内のいずれかの記事を含む範囲である。具体的には、例えば、受付部６０３は、テーブル１４０の載置面に置かれた文書ｄｃに対するタップ操作を検出することにより、タップされた各点の座標を取得する。そして、受付部６０３は、取得した各点の座標で囲まれた第２の範囲、すなわち、タップ操作により順に指定された文書ｄｃ上の点間を結ぶ線分により囲まれた範囲の指定を受け付ける（例えば、図３参照）。
【００５２】
取得部６０１は、指定された第２の範囲の領域の画像データを取得する。具体的には、例えば、取得部６０１は、第２カメラ１１３により、テーブル１４０の載置面に置かれた文書ｄｃ上の指定された範囲を走査することにより、当該範囲の画像データを取得する。これにより、例えば、文書ｄｃのうちユーザにより指定された記事を含む記事画像の画像データを取得することができる。
【００５３】
以下の説明では、文書ｄｃ上の記事画像の頂点の絶対座標を「絶対座標ｋｋｋ１〜ｋｋｋｎ」と表記する場合がある（ｎ：３以上の自然数）。
【００５４】
また、生成部６０２は、指定された第２の範囲の領域を縮小表示するサムネイル画像の画像データを生成することにしてもよい。具体的には、例えば、生成部６０２は、ページ外縁画像の絶対座標ｇｇ１を原点として、記事画像の絶対座標ｋｋｋ１〜ｋｋｋｎを相対座標ｋｋ１〜ｋｋｎに変換する。
【００５５】
つぎに、生成部６０２は、記事画像の相対座標ｋｋ１〜ｋｋｎのｘ，ｙ成分をＮで割ることにより、相対座標ｋ１〜ｋｎに変換する。そして、生成部６０２は、変換した相対座標ｋ１〜ｋｎと記事画像の画像データとに基づいて、記事サムネイルの画像データを生成する。記事サムネイルは、例えば、記事画像を１／Ｎで縮小表示する画像である。これにより、記事画像を１／Ｎで縮小表示する記事サムネイルの画像データを生成することができる。
【００５６】
記録部６０４は、第２の範囲の領域を特定する情報と、第１の範囲の領域を特定する情報とを対応付けて記録する。ここで、第２の範囲の領域を特定する情報は、例えば、記事画像の画像データや記事画像の頂点の座標などである。第２の範囲の領域を特定する情報には、例えば、記事サムネイルの画像データや記事サムネイルの頂点の座標が含まれていてもよい。さらに、第２の範囲の領域を特定する情報には、例えば、記事画像の面積を示す情報が含まれていてもよい。
【００５７】
また、第１の範囲の領域を特定する情報は、例えば、ページ外縁画像（または、ページ画像）の画像データやページ外縁画像（または、ページ画像）の頂点の座標などである。第１の範囲の領域を特定する情報には、例えば、外縁サムネイル（または、ページサムネイル）の画像データや、外縁サムネイル（または、ページサムネイル）の頂点の座標が含まれていてもよい。なお、第１の範囲の領域を特定する情報は、例えば、文書ｄｃの面積、すなわち、ページ外縁画像やページ画像の面積を示す情報であってもよい。また、第１の範囲の領域を特定する情報には、例えば、文書ｄｃのページ番号を示す情報が含まれていてもよい。文書ｄｃのページ番号は、例えば、テーブル１４０の載置面に置かれた文書ｄｃ上の所定の位置（例えば、ページ番号が印字される位置）を走査することにより特定することができる。
【００５８】
具体的には、例えば、記録部６０４は、記事画像の画像データ、記事画像の頂点の座標、ページ外縁画像の頂点の座標、記事サムネイルの画像データ、記事サムネイルの頂点の座標および外縁サムネイルの頂点の座標を対応付けて記事ＤＢ５００（例えば、図５参照）に記録する。これにより、ユーザにより指定された記事を含む領域の記事画像に関する記事情報を記事ＤＢ５００に新規登録することができる。
【００５９】
表示制御部６０５は、貼付先フォームＦを表示する。ここで、貼付先フォームＦは、例えば、記事画像の画像データを配置して新たなレイアウトの文書を作成するための領域である。貼付先フォールＦの大きさは、任意に設定可能であり、例えば、Ａ４サイズ（２１０ｍｍ×２９７ｍｍ）程度の大きさである。
【００６０】
具体的には、例えば、表示制御部６０５は、テーブル１４０の載置面上に表示された貼り付けボタンＢ３がタップ（押下）されたことに応じて、プロジェクタ１１４により、テーブル１４０の載置面上に貼付先フォームＦを表示する（例えば、後述の図７参照）。なお、貼付先フォームＦの画像データは、例えば、メモリ２０２、ディスク２０５などの記憶装置に記憶されている。
【００６１】
また、表示制御部６０５は、第２の範囲の領域を特定する情報を表示する。ここで、表示対象となる第２の範囲の領域を特定する情報は、例えば、記事画像の画像データであってもよく、また、記事サムネイルの画像データであってもよい。
【００６２】
具体的には、例えば、まず、表示制御部６０５は、貼り付けボタンＢ３がタップ（押下）されたことに応じて、記事ＤＢ５００から記事サムネイルの画像データを読み出す。そして、表示制御部６０５は、読み出した記事サムネイルの画像データに基づいて、プロジェクタ１１４により、テーブル１４０の載置面上に記事サムネイルを表示する。なお、記事サムネイルの表示例については、図７を用いて後述する。
【００６３】
受付部６０３は、第２の範囲の領域を特定する情報の指定を受け付ける。具体的には、例えば、受付部６０３は、テーブル１４０の載置面上に表示された記事サムネイルに対するタッチ操作を検出することにより、記事サムネイルの画像データの指定を受け付ける。
【００６４】
また、表示制御部６０５は、第２の範囲の領域を特定する情報が指定された場合、第１の範囲の領域を表す画像を、第２の範囲の領域を表す画像と対応付けて表示する。ここで、第１の範囲の領域を表す画像は、例えば、ページ外縁画像、ページ画像、外縁サムネイル、ページサムネイルである。また、第２の範囲の領域を表す画像は、例えば、記事画像、記事サムネイルである。
【００６５】
この際、表示制御部６０５は、例えば、第１の範囲内における第２の範囲の相対的な位置関係に基づいて、第２の範囲の領域を表す画像を、第１の範囲の領域を表す画像に重ねて表示することにしてもよい。具体的には、例えば、表示制御部６０５は、テーブル１４０の載置面上に表示された記事サムネイルが指定されたことに応じて、プロジェクタ１１４により、当該記事サムネイルを、外縁サムネイルに重ねて表示することにしてもよい。
【００６６】
より詳細に説明すると、表示制御部６０５は、例えば、記事サムネイルが指定されたことに応じて、記事ＤＢ５００から、指定された記事サムネイルに対応する外縁サムネイルの頂点の座標（相対座標ｇ１〜ｇｍ）を読み出す。つぎに、表示制御部６０５は、読み出した外縁サムネイルの頂点の座標に基づいて、外縁サムネイルの画像データを生成する。
【００６７】
ただし、記事ＤＢ５００に外縁サムネイルの画像データが記録されている場合には、表示制御部６０５は、記事ＤＢ５００から外縁サムネイルの画像データを読み出すことにしてもよい。
【００６８】
そして、表示制御部６０５は、外縁サムネイルの画像データに基づいて、プロジェクタ１１４により、テーブル１４０の載置面上に表示された記事サムネイルと対応付けて、外縁サムネイルを表示する。より具体的には、例えば、表示制御部６０５は、外縁サムネイルの頂点の座標（相対座標ｇ１〜ｇｍ）に基づいて、記事サムネイルの頂点の座標（相対座標ｋ１〜ｋｎ）に合わせて外縁サムネイルを表示する。
【００６９】
これにより、記事サムネイルに対応する文書ｄｃ内の部分が、文書ｄｃ内のどの位置に、文書ｄｃ全体の大きさに対してどのような大きさで配されていたのかを分かりやすく表示することができる。
【００７０】
また、例えば、表示制御部６０５は、テーブル１４０の載置面上に表示された記事サムネイルと外縁サムネイルとを並べて表示することにしてもよい。これにより、記事サムネイルに対応する文書ｄｃ内の部分が、文書ｄｃ全体の大きさに対してどのような大きさで配されていたのかを分かりやすく表示することができる。
【００７１】
また、例えば、表示制御部６０５は、テーブル１４０の載置面上に表示された記事サムネイルが指定されたことに応じて、プロジェクタ１１４により、当該記事サムネイルに対応する記事画像と対応付けて、ページ外縁画像を表示することにしてもよい。
【００７２】
より詳細に説明すると、表示制御部６０５は、例えば、記事サムネイルが指定されたことに応じて、記事ＤＢ５００から、指定された記事サムネイルに対応する記事画像の画像データと、記事画像の頂点の座標（相対座標ｋｋ１〜ｋｋｎ）と、ページ外縁画像の頂点の座標（相対座標ｇｇ１〜ｇｇｍ）を読み出す。
【００７３】
つぎに、表示制御部６０５は、読み出したページ外縁画像の頂点の座標に基づいて、ページ外縁画像の画像データを生成する。この際、表示制御部６０５は、例えば、文書ｄｃ（ページ外縁画像）の面積に基づいて、予め決められた形状（例えば、矩形、円形）の図形の画像データを、ページ外縁画像の画像データとして生成することにしてもよい。ただし、記事ＤＢ５００にページ外縁画像の画像データが記録されている場合には、表示制御部６０５は、記事ＤＢ５００からページ外縁画像の画像データを読み出すことにしてもよい。
【００７４】
そして、表示制御部６０５は、プロジェクタ１１４により、テーブル１４０の載置面上に、ページ外縁画像を記事画像と対応付けて表示する。より具体的には、例えば、表示制御部６０５は、ページ外縁画像の頂点の座標（相対座標ｇｇ１〜ｇｇｍ）に基づいて、記事画像の頂点の座標（相対座標ｋｋ１〜ｋｋｎ）に合わせて、ページ外縁画像を記事画像と対応付けて表示することにしてもよい。
【００７５】
これにより、記事画像に対応する文書ｄｃ内の部分が、文書ｄｃ内のどの位置に、文書ｄｃ全体の大きさに対してどのような大きさで配されていたのかを分かりやすく表示することができる。なお、表示制御部６０５は、例えば、ページ外縁画像を記事画像と対応付けて表示する際に、文書ｄｃのページ番号を示す情報をページ外縁画像と対応付けて表示することにしてもよい。これにより、記事画像に対応する文書ｄｃが、例えば、新聞や雑誌の何ページ目のものであるかを表示することができる。文書ｄｃのページ番号は、例えば、新聞や雑誌などにおける文書ｄｃ自体の重要度を判断する指標となり得る。さらに、表示制御部６０５は、例えば、ページ外縁画像を記事画像と対応付けて表示する際に、文書ｄｃ（ページ外縁画像）の面積に対する記事画像の面積の比率を表示することにしてもよい。これにより、記事画像に対応する文書ｄｃ内の部分が、文書ｄｃ全体の大きさに対してどのような大きさで配されていたのかを定量的に判断可能に表示することができる。
【００７６】
また、例えば、表示制御部６０５は、テーブル１４０の載置面上に、ページ外縁画像と記事画像とを並べて表示することにしてもよい。これにより、記事画像に対応する文書ｄｃ内の部分が、文書ｄｃ全体の大きさに対してどのような大きさで配されていたのかを分かりやすく表示することができる。
【００７７】
また、表示制御部６０５は、指定された記事サムネイルが貼付先フォームＦ上に移動されたことに応じて、プロジェクタ１１４により、当該記事サムネイルに換えて、記事画像を表示するとともに、ページ外縁画像を当該記事画像と対応付けて表示してもよい。すなわち、テーブル１４０の載置面上に表示された記事サムネイルがドラッグ操作により貼付先フォームＦ上に移動された際に、表示制御部６０５は、ページ外縁画像と記事画像とを対応付けて表示する。
【００７８】
なお、表示制御部６０５は、例えば、記事サムネイルの一部または全部が貼付先フォームＦ内となったことに応じて、記事サムネイルが貼付先フォームＦ上に移動されたと判断する。また、表示制御部６０５は、例えば、記事サムネイルの中心の座標が貼付先フォームＦ内となったことに応じて、記事サムネイルが貼付先フォームＦ上に移動されたと判断することにしてもよい。
【００７９】
また、表示制御部６０５は、第２の範囲の領域を表す画像を拡大または縮小して表示する場合には、第１の範囲の領域を表す画像を、第２の範囲の領域を表す画像と同一比率で拡大または縮小して表示する。具体的には、例えば、表示制御部６０５は、貼付先フォームＦ上で記事画像を拡大または縮小して表示する場合には、ページ外縁画像を記事画像と同一比率で拡大または縮小して表示する。
【００８０】
これにより、貼付先フォームＦ上で記事画像を拡大または縮小する編集が行われた場合であっても、記事画像に対応する部分が、文書ｄｃ全体の大きさに対してどのような大きさで配されていたのかを分かりやすく表示することができる。
【００８１】
登録部６０６は、載置面に表示された貼付先フォームＦ上に配置された記事画像の画像データと、当該記事画像の頂点の座標とを登録する。具体的には、例えば、登録部６０６は、貼付先フォームＦの頂点の絶対座標ｆｆｆ１〜ｆｆｆ４を取得する。ここでは貼付先フォームの形状を矩形とする。そして、登録部６０６は、取得した絶対座標ｆｆｆ１〜ｆｆｆ４を、絶対座標ｆｆｆ１を原点として相対座標ｆｆ１〜ｆｆ４に変換する。
【００８２】
つぎに、登録部６０６は、貼付先フォームＦの相対座標ｆｆ１を原点として、貼付先フォームＦ上に配置された記事画像の頂点の相対座標ｋｋ１〜ｋｋｎを、相対座標ｆｋｋ１〜ｆｋｋｎに変換する。そして、登録部６０６は、貼付先フォームＦの頂点の相対座標ｆｆ１〜ｆｆ４と対応付けて、記事画像の頂点の相対座標ｆｋｋ１〜ｆｋｋｎおよび画像データを、後述の図１２に示すファイルＤＢ１２００に登録する。
【００８３】
この際、登録部６０６は、さらに、ページ外縁画像の頂点の座標、記事サムネイルの画像データ、記事サムネイルの頂点の座標および外縁サムネイルの頂点の座標を対応付けて登録することにしてもよい。ページ外縁画像の頂点の座標は、例えば、貼付先フォームＦの相対座標ｆｆ１を原点として、ページ外縁画像の頂点の相対座標ｇｇ１〜ｇｇｍを変換した相対座標ｆｇｇ１〜ｆｇｇｍである。
【００８４】
（貼り付け作業）
つぎに、テーブル１４０の載置面に表示された貼付先フォーム上に記事画像を配置して、新たなレイアウトの文書を作成する貼り付け作業時の操作例について説明する。
【００８５】
図７〜図１１は、貼り付け作業時の操作例を示す説明図である。
【００８６】
（７−１）画像表示装置１００は、例えば、テーブル１４０の載置面に表示された貼り付けボタンＢ３が押下されると、プロジェクタ１１４により、テーブル１４０の載置面上に、貼付先フォームＦと記事サムネイルとを表示する。表示対象となる記事サムネイルは、例えば、記事ＤＢ５００に記憶されている全ての記事サムネイルである。
【００８７】
図７の例では、貼付先フォームＦの左側に、記事サムネイルｓｄ１〜ｓｄ３が表示されている。なお、記事サムネイルの表示位置は、任意に設定可能である。また、記事ＤＢ５００に記憶されている全ての記事サムネイルを一度に表示しきれない場合には、画像表示装置１００は、例えば、複数の記事サムネイルをスクロール表示することにしてもよい。
【００８８】
（７−２）画像表示装置１００は、例えば、ユーザのタッチ操作により、記事サムネイルｓｄ３が指定されたことに応じて、記事ＤＢ５００に記憶された外縁サムネイルｇｄ３を、記事サムネイルｓｄ３と対応付けて表示する。具体的には、例えば、画像表示装置１００は、外縁サムネイルｇｄ３の相対座標（ｇ１（３），ｇ２（３），…）に基づいて、記事サムネイルｓｄ３の相対座標（ｋ１（３），ｋ２（３），…）に合わせて外縁サムネイルｇｄ３を表示する。
【００８９】
これにより、記事サムネイルｓｄ３に対応する文書ｄｃ内の部分が、文書ｄｃ内のどの位置に、文書ｄｃ全体の大きさに対してどのような大きさで配されていたのかを分かりやすく表示して、文書ｄｃにおける記事の重要度を判断しやすくさせることができる。例えば、文書ｄｃが新聞であれば、ユーザは、紙面の右上のほうに記事が配されているほど重要度が高いとか、新聞の紙面全体に占める記事の割合が大きいほど重要度が高いといった判断を行うことができる。
【００９０】
（７−３）画像表示装置１００は、例えば、記事サムネイルｓｄ２が指定されたことに応じて、記事ＤＢ５００に記憶された外縁サムネイルｇｄ２を、記事サムネイルｓｄ２と対応付けて表示する。具体的には、例えば、画像表示装置１００は、外縁サムネイルｇｄ２の相対座標（ｇ１（２），ｇ２（２），…）に基づいて、記事サムネイルｓｄ２の相対座標（ｋ１（２），ｋ２（２），…）に合わせて外縁サムネイルｇｄ３を表示する。
【００９１】
これにより、記事サムネイルｓｄ２に対応する文書ｄｃ内の部分が、文書ｄｃ内のどの位置に、文書ｄｃ全体の大きさに対してどのような大きさで配されていたのかを分かりやすく表示して、文書ｄｃにおける記事の重要度を判断しやすくさせることができる。
【００９２】
（７−４）画像表示装置１００は、例えば、記事サムネイルｓｄ１が指定されたことに応じて、記事ＤＢ５００に記憶された外縁サムネイルｇｄ１を、記事サムネイルｓｄ１と対応付けて表示する。具体的には、例えば、画像表示装置１００は、外縁サムネイルｇｄ１の相対座標（ｇ１（１），ｇ２（１），…）に基づいて、記事サムネイルｓｄ１の相対座標（ｋ１（１），ｋ２（１），…）に合わせて外縁サムネイルｇｄ１を表示する。
【００９３】
これにより、記事サムネイルｓｄ１に対応する文書ｄｃ内の部分が、文書ｄｃ内のどの位置に、文書ｄｃ全体の大きさに対してどのような大きさで配されていたのかを分かりやすく表示して、文書ｄｃにおける記事の重要度を判断しやすくさせることができる。また、指定された記事サムネイルに対応する外縁サムネイルのみを表示することで、複数並べて表示された記事サムネイルｓｄ１〜ｓｄ３の外縁サムネイルｇｄ１〜ｇｄ３を一括して表示する場合に比べて視認性を向上させることができる。
【００９４】
（７−５）画像表示装置１００は、例えば、ユーザのドラッグ操作により、記事サムネイルｓｄ３が指定された状態で移動されると、移動された記事サムネイルｓｄ３の相対座標（ｋ１（３），ｋ２（３），…）に合わせて外縁サムネイルｇｄ３を表示する。これにより、記事サムネイルｓｄ３と外縁サムネイルｇｄ３との位置関係を保った状態で、外縁サムネイルｇｄ３を、記事サムネイルｓｄ３の移動に合わせて表示することができる。
【００９５】
（７−６）画像表示装置１００は、例えば、記事サムネイルｓｄ３が貼付先フォームＦ上に移動されたことに応じて、記事サムネイルｓｄ３に換えて、記事画像Ｄ３を表示するとともに、ページ外縁画像ＧＤ３を記事画像Ｄ３と対応付けて表示する。具体的には、例えば、画像表示装置１００は、ページ外縁画像ＧＤ３の相対座標（ｇｇ１（３），ｇｇ２（３），…）に基づいて、記事画像Ｄ３の相対座標（ｋｋ１（３），ｋｋ２（３），…）に合わせてページ外縁画像ＧＤ３を表示する。
【００９６】
これにより、貼付先フォームＦ上に記事画像Ｄ３を配置する際には、記事画像Ｄ３の実際の大きさを確認させつつ、記事の重要度を判断させることができる。また、記事画像Ｄ３を実際の大きさで表示することで、ユーザは、記事画像Ｄ３の記事内容を確認して、記事の重要度を判断することもできる。
【００９７】
（７−７）画像表示装置１００は、例えば、記事画像Ｄ３に対するタッチ操作が終了すると、ページ外縁画像ＧＤ３の表示を終了する。これにより、貼付先フォームＦ上に記事画像Ｄ３が配置されたことに応じて、ページ外縁画像ＧＤ３の表示を終了することができる。
【００９８】
（７−８）画像表示装置１００は、例えば、貼付先フォームＦ上の記事画像Ｄ２が指定されたことに応じて、ページ外縁画像ＧＤ２を記事画像Ｄ２と対応付けて表示する。具体的には、例えば、画像表示装置１００は、ページ外縁画像ＧＤ２の相対座標（ｇｇ１（２），ｇｇ２（２），…）に基づいて、記事画像Ｄ２の相対座標（ｋｋ１（２），ｋｋ２（２），…）に合わせてページ外縁画像ＧＤ２を表示する。
【００９９】
これにより、貼付先フォームＦ上に配置した記事画像Ｄ２について、記事の重要度を再確認させることができる。
【０１００】
（７−９）画像表示装置１００は、例えば、テーブル１４０の載置面に表示された完了ボタンＢ２が押下されると、貼付先フォームＦ上に配置された各記事画像Ｄ１〜Ｄ３の配置記事情報を、図１２に示すようなファイルＤＢ１２００に登録する。ここで、ファイルＤＢ１２００の記憶内容について説明する。ファイルＤＢ１２００は、例えば、図２に示したメモリ２０２、ディスク２０５などの記憶装置により実現される。
【０１０１】
図１２は、ファイルＤＢ１２００の記憶内容の一例を示す説明図である。図１２において、ファイルＤＢ１２００は、ファイル名、記事ＩＤ、貼付先フォームの頂点の座標、記事画像の画像データ、および記事画像の頂点の座標のフィールドを有する。各フィールドに情報を設定することで、配置記事情報（例えば、配置記事情報１２００−１〜１２００−３）がレコードとして記憶される。
【０１０２】
ここで、ファイル名は、ファイルを一意に識別する識別子である。ファイルは、貼付先フォーム上に記事画像を配置して作成された、新たなレイアウトの文書である。記事ＩＤは、記事画像を一意に識別する識別子である。貼付先フォームの頂点の座標は、テーブル１４０の載置面に表示された貼付先フォームＦの各頂点の座標である。記事画像の画像データは、文書ｄｃ内のいずれかの記事を含む領域を表示する画像データである。記事画像の頂点の座標は、貼付先フォームＦ上に配置された記事画像の各頂点の座標である。
【０１０３】
なお、配置記事情報には、例えば、記事画像に対応する、ページ外縁画像の頂点の座標、記事サムネイルの画像データ、記事サムネイルの頂点の座標および外縁サムネイルの頂点の座標が含まれていてもよい。
【０１０４】
図１１に示した貼付先フォームＦ上に配置された記事画像Ｄ１〜Ｄ３を例に挙げると、まず、画像表示装置１００は、貼付先フォームＦの頂点の絶対座標ｆｆｆ１〜ｆｆｆ４を取得する。そして、画像表示装置１００は、取得した絶対座標ｆｆｆ１〜ｆｆｆ４を、絶対座標ｆｆｆ１を原点として相対座標ｆｆ１〜ｆｆ４に変換する。
【０１０５】
つぎに、画像表示装置１００は、貼付先フォームＦの相対座標ｆｆ１を原点として、貼付先フォームＦ上に配置された記事画像Ｄ１の頂点の相対座標（ｋｋ１（１），ｋｋ２（１），…）を、相対座標（ｆｋｋ１（１），ｆｋｋ２（１），…）に変換する。
【０１０６】
そして、画像表示装置１００は、貼付先フォームＦの頂点の相対座標ｆｆ１〜ｆｆ４と対応付けて、記事画像Ｄ１の頂点の相対座標（ｆｋｋ１（１），ｆｋｋ２（１），…）および画像データをファイルＤＢ１２００に登録する。これにより、配置記事情報１２００−１がファイルＤＢ１２００に新規登録される。なお、ファイル名は、自動で付与されてもよく、また、ユーザにより設定されることにしてもよい。
【０１０７】
同様に、画像表示装置１００は、貼付先フォームＦの相対座標ｆｆ１を原点として、貼付先フォームＦ上に配置された記事画像Ｄ２の頂点の相対座標（ｋｋ１（２），ｋｋ２（２），…）を、相対座標（ｆｋｋ１（２），ｆｋｋ２（２），…）に変換する。
【０１０８】
そして、画像表示装置１００は、貼付先フォームＦの頂点の相対座標ｆｆ１〜ｆｆ４と対応付けて、記事画像Ｄ２の頂点の相対座標（ｆｋｋ１（２），ｆｋｋ２（２），…）および画像データをファイルＤＢ１２００に登録する。これにより、配置記事情報１２００−２がファイルＤＢ１２００に新規登録される。
【０１０９】
同様に、画像表示装置１００は、貼付先フォームＦの相対座標ｆｆ１を原点として、貼付先フォームＦ上に配置された記事画像Ｄ３の頂点の相対座標（ｋｋ１（３），ｋｋ２（３），…）を、相対座標（ｆｋｋ１（３），ｆｋｋ２（３），…）に変換する。
【０１１０】
そして、画像表示装置１００は、貼付先フォームＦの頂点の相対座標ｆｆ１〜ｆｆ４と対応付けて、記事画像Ｄ３の頂点の相対座標（ｆｋｋ１（３），ｆｋｋ２（３），…）および画像データをファイルＤＢ１２００に登録する。これにより、配置記事情報１２００−３がファイルＤＢ１２００に新規登録される。
【０１１１】
この結果、以降において、画像表示装置１００は、ファイルＤＢ１２００を参照して、ファイルＦ１を表示、編集、印刷したりすることができる。
【０１１２】
（画像表示装置１００の取り込み処理手順）
つぎに、画像表示装置１００の取り込み処理手順について説明する。取り込み処理は、テーブル１４０の載置面に置かれた文書ｄｃから記事画像やページ外縁画像の情報を取り込む処理である。
【０１１３】
図１３は、画像表示装置１００の取り込み処理手順の一例を示すフローチャートである。図１３のフローチャートにおいて、まず、画像表示装置１００は、テーブル１４０の載置面上に表示された走査開始ボタンＢ１が押下されたか否かを判断する（ステップＳ１３０１）。ここで、画像表示装置１００は、走査開始ボタンＢ１が押下されるのを待つ（ステップＳ１３０１：Ｎｏ）。
【０１１４】
そして、走査開始ボタンＢ１が押下された場合（ステップＳ１３０１：Ｙｅｓ）、画像表示装置１００は、外縁取り込み処理を実行する（ステップＳ１３０２）。外縁取り込み処理は、ページ外縁画像の情報を取り込む処理である。外縁取り込み処理の具体的な処理手順については、図１４を用いて後述する。
【０１１５】
つぎに、画像表示装置１００は、記事取り込み処理を実行する（ステップＳ１３０３）。記事取り込み処理は、記事画像の情報を取り込む処理である。記事取り込み処理の具体的な処理手順については、図１５を用いて後述する。
【０１１６】
そして、画像表示装置１００は、テーブル１４０の載置面上に表示された完了ボタンＢ２が押下されたか否かを判断する（ステップＳ１３０４）。ここで、完了ボタンＢ２が押下されていない場合（ステップＳ１３０４：Ｎｏ）、画像表示装置１００は、ステップＳ１３０３に戻る。
【０１１７】
一方、完了ボタンＢ２が押下された場合（ステップＳ１３０４：Ｙｅｓ）、画像表示装置１００は、本フローチャートによる一連の処理を終了する。これにより、テーブル１４０の載置面に置かれた文書ｄｃから記事画像やページ外縁画像の情報を取り込むことができる。
【０１１８】
つぎに、図１４を用いて、図１３に示したステップＳ１３０２の外縁取り込み処理の具体的な処理手順について説明する。また、ここでは、テーブル１４０の載置面に置かれた文書ｄｃの外縁の形状が矩形の場合（ｍ＝４）を例に挙げて説明する。
【０１１９】
図１４は、外縁取り込み処理の具体的処理手順の一例を示すフローチャートである。図１４のフローチャートにおいて、まず、画像表示装置１００は、第２カメラ１１３によりテーブル１４０の載置面全体を走査する（ステップＳ１４０１）。そして、画像表示装置１００は、色や輝度の差から文書ｄｃと載置面との境界を検出することにより、文書ｄｃの頂点の絶対座標ｇｇｇ１〜ｇｇｇ４を取得する（ステップＳ１４０２）。
【０１２０】
つぎに、画像表示装置１００は、絶対座標ｇｇｇ１を原点として、取得した絶対座標ｇｇｇ１〜ｇｇｇ４を相対座標ｇｇ１〜ｇｇ４に変換する（ステップＳ１４０３）。そして、画像表示装置１００は、変換した相対座標ｇｇ１〜ｇｇ４を、ページ外縁画像の頂点の座標とする（ステップＳ１４０４）。
【０１２１】
つぎに、画像表示装置１００は、ページ外縁画像の頂点の相対座標ｇｇ１〜ｇｇ４のｘ，ｙ成分をＮで割って、相対座標ｇ１〜ｇ４に変換する（ステップＳ１４０５）。そして、画像表示装置１００は、変換した相対座標ｇ１〜ｇ４を、外縁サムネイルの頂点の座標として（ステップＳ１４０６）、外縁取り込み処理を呼び出したステップに戻る。
【０１２２】
これにより、テーブル１４０の載置面に置かれた文書ｄｃについて、ページ外縁画像の頂点の座標と、外縁サムネイルの頂点の座標とを取り込むことができる。
【０１２３】
つぎに、図１５を用いて、図１３に示したステップＳ１３０３の記事取り込み処理の具体的な処理手順について説明する。
【０１２４】
図１５は、記事取り込み処理の具体的処理手順の一例を示すフローチャートである。図１５のフローチャートにおいて、画像表示装置１００は、記事画像の頂点の数を表すｎを「ｎ＝０」とし（ステップＳ１５０１）、テーブル１４０の載置面に置かれた文書ｄｃに対するタップ操作を検出したか否かを判断する（ステップＳ１５０２）。
【０１２５】
ここで、画像表示装置１００は、タップ操作を検出するのを待つ（ステップＳ１５０２：Ｎｏ）。そして、タップ操作を検出した場合（ステップＳ１５０２：Ｙｅｓ）、画像表示装置１００は、タップ操作の検出位置のタップ座標（ｘｐ，ｙｐ）を取得する（ステップＳ１５０３）。
【０１２６】
つぎに、画像表示装置１００は、取得したタップ座標（ｘｐ，ｙｐ）が、ページ領域内か否かを判断する（ステップＳ１５０４）。なお、ページ領域とは、図１４に示したステップＳ１４０２において取得された文書ｄｃの頂点の絶対座標ｇｇｇ１〜ｇｇｇ４によって囲まれた領域である。
【０１２７】
ここで、タップ座標（ｘｐ，ｙｐ）がページ領域内である場合（ステップＳ１５０４：Ｙｅｓ）、画像表示装置１００は、ｎをインクリメントする（ステップＳ１５０５）。そして、画像表示装置１００は、タップ座標（ｘｐ，ｙｐ）を記事画像の頂点の絶対座標ｋｋｋｎとして（ステップＳ１５０６）、ステップＳ１５０２に戻る。
【０１２８】
また、ステップＳ１５０４において、タップ座標（ｘｐ，ｙｐ）がページ領域内ではない場合（ステップＳ１５０４：Ｎｏ）、画像表示装置１００は、第２カメラ１１３により、記事画像の頂点の絶対座標ｋｋｋ１〜ｋｋｋｎによって囲まれた領域を走査する（ステップＳ１５０７）。そして、画像表示装置１００は、記事画像の画像データを取得する（ステップＳ１５０８）。
【０１２９】
つぎに、画像表示装置１００は、ページ外縁画像の絶対座標ｇｇ１を原点として、記事画像の絶対座標ｋｋｋ１〜ｋｋｋｎを相対座標ｋｋ１〜ｋｋｎに変換する（ステップＳ１５０９）。そして、画像表示装置１００は、記事画像の相対座標ｋｋ１〜ｋｋｎのｘ、ｙ成分をＮで割って、相対座標ｋ１〜ｋｎに変換する（ステップＳ１５１０）。
【０１３０】
つぎに、画像表示装置１００は、変換した相対座標ｋ１〜ｋｎと記事画像の画像データとに基づいて、記事サムネイルの画像データを生成する（ステップＳ１５１１）。そして、画像表示装置１００は、記事ＤＢ５００に記事情報を登録して（ステップＳ１５１２）、記事取り込み処理を呼び出したステップに戻る。
【０１３１】
記事情報には、例えば、記事画像の画像データ、記事画像の頂点の座標（相対座標ｋｋ１〜ｋｋｎ）、記事サムネイルの画像データ、記事サムネイルの頂点の座標（相対座標ｋ１〜ｋｎ）、ページ外縁画像の頂点（相対座標ｇｇ１〜ｇｇ４）、および外縁サムネイルの頂点の座標（相対座標ｇ１〜ｇｍ）が含まれる。
【０１３２】
これにより、テーブル１４０の載置面に置かれた文書ｄｃのうち、ユーザにより指定された記事を含む領域の記事画像に関する記事情報を記事ＤＢ５００に新規登録することができる。
【０１３３】
（画像表示装置１００のレイアウト処理手順）
つぎに、画像表示装置１００のレイアウト処理手順について説明する。レイアウト処理は、テーブル１４０の載置面に表示される貼付先フォームＦ上に記事画像を配置して、新たなレイアウトの文書を作成する処理である。
【０１３４】
図１６は、画像表示装置１００のレイアウト処理手順の一例を示すフローチャートである。図１６のフローチャートにおいて、まず、画像表示装置１００は、テーブル１４０の載置面上に表示された貼り付けボタンＢ３が押下されたか否かを判断する（ステップＳ１６０１）。
【０１３５】
ここで、画像表示装置１００は、貼り付けボタンＢ３が押下されるのを待つ（ステップＳ１６０１：Ｎｏ）。そして、貼り付けボタンＢ３が押下された場合（ステップＳ１６０１：Ｙｅｓ）、画像表示装置１００は、テーブル１４０の載置面上に貼付先フォームＦを表示する（ステップＳ１６０２）。
【０１３６】
つぎに、画像表示装置１００は、記事ＤＢ５００から全ての記事サムネイルの画像データを読み出す（ステップＳ１６０３）。そして、画像表示装置１００は、読み出した記事サムネイルの画像データに基づいて、プロジェクタ１１４により、テーブル１４０の載置面上に記事サムネイルを表示する（ステップＳ１６０４）。
【０１３７】
つぎに、画像表示装置１００は、貼り付け支援処理を実行する（ステップＳ１６０５）。貼り付け支援処理は、貼付先フォームＦ上に記事画像を配置する際の作業を支援する処理である。貼り付け支援処理の具体的な処理手順については、図１７および図１８を用いて後述する。
【０１３８】
つぎに、画像表示装置１００は、テーブル１４０の載置面上に表示された完了ボタンＢ２が押下されたか否かを判断する（ステップＳ１６０６）。ここで、完了ボタンＢ２が押下されていない場合（ステップＳ１６０６：Ｎｏ）、画像表示装置１００は、ステップＳ１６０５に戻る。
【０１３９】
一方、完了ボタンＢ２が押下された場合（ステップＳ１６０６：Ｙｅｓ）、画像表示装置１００は、登録処理を実行して（ステップＳ１６０７）、本フローチャートによる一連の処理を終了する。登録処理は、ファイルＤＢ１２００の配置記事情報を新規登録する処理である。登録処理の具体的な処理手順については、図１９を用いて後述する。
【０１４０】
これにより、テーブル１４０の載置面に表示された貼付先フォームＦ上に記事画像を配置して、新たなレイアウトの文書を作成することができる。
【０１４１】
つぎに、図１７および図１８を用いて、図１６に示したステップＳ１６０５の貼り付け支援処理の具体的な処理手順について説明する。
【０１４２】
図１７および図１８は、貼り付け支援処理の具体的処理手順の一例を示すフローチャートである。図１７のフローチャートにおいて、まず、画像表示装置１００は、テーブル１４０の載置面に対するタッチ操作を検出したか否かを判断する（ステップＳ１７０１）。
【０１４３】
ここで、画像表示装置１００は、タッチ操作を検出するのを待つ（ステップＳ１７０１：Ｎｏ）。そして、タッチ操作を検出した場合（ステップＳ１７０１：Ｙｅｓ）、画像表示装置１００は、タッチ操作の検出位置のタッチ座標が、テーブル１４０の載置面に表示されたいずれかの記事サムネイルの領域内か否かを判断する（ステップＳ１７０２）。
【０１４４】
ここで、記事サムネイルの領域内である場合（ステップＳ１７０２：Ｙｅｓ）、画像表示装置１００は、図１８に示すステップＳ１８０１に移行する。
【０１４５】
一方、記事サムネイルの領域内ではない場合（ステップＳ１７０２：Ｎｏ）、画像表示装置１００は、タッチ座標が、テーブル１４０の載置面に表示された貼付先フォームＦ上のいずれかの記事画像の領域内か否かを判断する（ステップＳ１７０３）。ここで、記事画像の領域内ではない場合（ステップＳ１７０３：Ｎｏ）、画像表示装置１００は、ステップＳ１７０１に戻る。
【０１４６】
一方、記事画像の領域内である場合（ステップＳ１７０３：Ｙｅｓ）、画像表示装置１００は、記事ＤＢ５００から、タッチされた記事画像に対応するページ外縁画像の頂点の座標（相対座標ｇｇ１〜ｇｇ４）を読み出す（ステップＳ１７０４）。そして、画像表示装置１００は、読み出したページ外縁画像の頂点の座標に基づいて、ページ外縁画像の画像データを生成し、記事画像の頂点の座標（相対座標ｋｋ１〜ｋｋ４）に合わせてページ外縁画像を表示する（ステップＳ１７０５）。
【０１４７】
つぎに、画像表示装置１００は、記事画像に対するタッチ操作が終了したか否かを判断する（ステップＳ１７０６）。ここで、タッチ操作が終了していない場合（ステップＳ１７０６：Ｎｏ）、画像表示装置１００は、ステップＳ１７０５に戻る。この際、貼付先フォームＦ上で記事画像が移動された場合には、画像表示装置１００は、移動された記事画像の頂点の座標（相対座標ｋｋ１〜ｋｋ４）に合わせてページ外縁画像を表示する。
【０１４８】
一方、タッチ操作が終了した場合には（ステップＳ１７０６：Ｙｅｓ）、画像表示装置１００は、ページ外縁画像の表示を終了して（ステップＳ１７０７）、貼り付け支援処理を呼び出したステップに戻る。
【０１４９】
これにより、貼付先フォームＦ上に配置した記事画像について、記事の重要度を再確認させることができる。なお、画像表示装置１００は、ページ外縁画像を表示してからの経過時間が規定時間（例えば、１０秒）を超えた場合にも、ページ外縁画像の表示を終了することにしてもよい。
【０１５０】
図１８のフローチャートにおいて、まず、画像表示装置１００は、記事ＤＢ５００から、タッチされた記事サムネイルに対応する外縁サムネイルの頂点の座標（相対座標ｇ１〜ｇ４）を読み出す（ステップＳ１８０１）。そして、画像表示装置１００は、読み出した外縁サムネイルの頂点の座標に基づいて、外縁サムネイルの画像データを生成し、記事サムネイルの頂点の座標（相対座標ｋ１〜ｋ４）に合わせて外縁サムネイルを表示する（ステップＳ１８０２）。これにより、記事サムネイルに対応する文書ｄｃ内の部分が、文書ｄｃ内のどの位置に、文書ｄｃ全体の大きさに対してどのような大きさで配されていたのかを分かりやすく表示することができる。
【０１５１】
つぎに、画像表示装置１００は、記事サムネイルに対するタッチ操作が終了したか否かを判断する（ステップＳ１８０３）。ここで、タッチ操作が終了した場合（ステップＳ１８０３：Ｙｅｓ）、画像表示装置１００は、外縁サムネイルの表示を終了して（ステップＳ１８０４）、貼り付け支援処理を呼び出したステップに戻る。
【０１５２】
なお、画像表示装置１００は、外縁サムネイルを表示してからの経過時間が規定時間を超えた場合にも、外縁サムネイルの表示を終了することにしてもよい。
【０１５３】
一方、タッチ操作が終了していない場合（ステップＳ１８０３：Ｎｏ）、画像表示装置１００は、タッチされた記事サムネイルが貼付先フォームＦの領域内に移動されたか否かを判断する（ステップＳ１８０５）。
【０１５４】
ここで、貼付先フォームＦの領域内に移動されていない場合（ステップＳ１８０５：Ｎｏ）、画像表示装置１００は、ステップＳ１８０２に戻る。この際、記事サムネイルが移動された場合には、画像表示装置１００は、移動された記事サムネイルの頂点の座標（相対座標ｋ１〜ｋ４）に合わせて外縁サムネイルを表示する。
【０１５５】
一方、貼付先フォームＦの領域内に移動された場合（ステップＳ１８０５：Ｙｅｓ）、画像表示装置１００は、記事ＤＢ５００から、タッチされた記事サムネイルに対応する記事画像の画像データとページ外縁画像の頂点の座標（相対座標ｇｇ１〜ｇｇ４）を読み出す（ステップＳ１８０６）。つぎに、画像表示装置１００は、記事サムネイルと外縁サムネイルの表示を終了する（ステップＳ１８０７）。
【０１５６】
そして、画像表示装置１００は、読み出した記事画像の画像データに基づいて、プロジェクタ１１４により、貼付先フォームＦ上に記事画像を表示する（ステップＳ１８０８）。この際、画像表示装置１００は、例えば、記事画像の中心の座標と記事サムネイルの中心の座標とが一致するように記事画像を表示する。
【０１５７】
つぎに、画像表示装置１００は、読み出したページ外縁画像の頂点の座標に基づいて、ページ外縁画像の画像データを生成し、記事画像の頂点の座標（相対座標ｋｋ１〜ｋｋ４）に合わせてページ外縁画像を表示する（ステップＳ１８０９）。これにより、記事画像に対応する文書ｄｃ内の部分が、文書ｄｃ内のどの位置に、文書ｄｃ全体の大きさに対してどのような大きさで配されていたのかを分かりやすく表示することができる。
【０１５８】
つぎに、画像表示装置１００は、記事画像に対するタッチ操作が終了したか否かを判断する（ステップＳ１８１０）。ここで、タッチ操作が終了していない場合（ステップＳ１８１０：Ｎｏ）、画像表示装置１００は、ステップＳ１８０９に戻る。この際、貼付先フォームＦ上で記事画像が移動された場合には、画像表示装置１００は、移動された記事画像の頂点の座標（相対座標ｋｋ１〜ｋｋ４）に合わせてページ外縁画像を表示する。
【０１５９】
一方、タッチ操作が終了した場合には（ステップＳ１８１０：Ｙｅｓ）、画像表示装置１００は、ページ外縁画像の表示を終了して（ステップＳ１８１１）、貼り付け支援処理を呼び出したステップに戻る。
【０１６０】
つぎに、図１９を用いて、図１６に示したステップＳ１６０７の登録処理の具体的な処理手順について説明する。
【０１６１】
図１９は、登録処理の具体的処理手順の一例を示すフローチャートである。図１９のフローチャートにおいて、まず、画像表示装置１００は、貼付先フォームＦの頂点の絶対座標ｆｆｆ１〜ｆｆｆ４を取得する（ステップＳ１９０１）。
【０１６２】
つぎに、画像表示装置１００は、絶対座標ｆｆｆ１を原点として、取得した絶対座標ｆｆｆ１〜ｆｆｆ４を相対座標ｆｆ１〜ｆｆ４に変換する（ステップＳ１９０２）。そして、画像表示装置１００は、文書のファイル名を付与する（ステップＳ１９０３）。
【０１６３】
つぎに、画像表示装置１００は、貼付先フォームＦの相対座標ｆｆ１を原点として、貼付先フォームＦ上に配置された各記事画像の頂点の相対座標（ｋｋ１〜ｋｋｎ）を、相対座標（ｆｋｋ１〜ｆｋｋｎ）に変換する（ステップＳ１９０４）。そして、画像表示装置１００は、ファイルＤＢ１２００に各記事画像の配置記事情報を登録して（ステップＳ１９０５）、登録処理を呼び出したステップに戻る。
【０１６４】
配置記事情報には、例えば、ファイル名、記事画像の記事ＩＤ、記事画像の画像データ、記事画像の頂点の座標（相対座標ｆｋｋ１〜ｆｋｋｎ）、および貼付先フォームＦの頂点の座標（相対座標ｆｆ１〜ｆｆ４）が含まれる。
【０１６５】
これにより、貼付先フォームＦ上に配置された記事画像に関する配置記事情報をファイルＤＢ１２００に新規登録することができる。
【０１６６】
以上説明したように、実施の形態にかかる画像表示装置１００によれば、第１の範囲内の第２の範囲が指定されたことに応じて、第１の範囲の領域を特定する情報を、第２の範囲の領域を特定する情報と対応付けて記事ＤＢ５００に記録することができる。第１の範囲は、例えば、テーブル１４０の載置面に置かれた文書ｄｃを含む範囲である。また、第２の範囲は、例えば、文書ｄｃ内のいずれかの記事を含む範囲である。
【０１６７】
また、第１の範囲の領域を特定する情報は、例えば、ページ外縁画像（または、ページ画像）の画像データやページ外縁画像（または、ページ画像）の頂点の座標などである。第１の範囲の領域を特定する情報には、例えば、外縁サムネイル（または、ページサムネイル）の画像データや、外縁サムネイル（または、ページサムネイル）の頂点の座標が含まれていてもよい。また、第２の範囲の領域を特定する情報は、例えば、記事画像の画像データや記事画像の頂点の座標などである。第２の範囲の領域を特定する情報には、例えば、記事サムネイルの画像データや記事サムネイルの頂点の座標が含まれていてもよい。
【０１６８】
これにより、新聞や雑誌などの文書ｄｃの中からユーザにより指定された記事を含む記事画像の画像データと対応付けて、文書ｄｃにおけるその記事の重要度を判断するための手掛かりとなり得る情報を保持することができる。
【０１６９】
また、画像表示装置１００によれば、第１の範囲内の第２の範囲の領域を特定する情報が指定された際に、記事ＤＢ５００を参照して、第１の範囲の領域を表す画像を、第２の範囲の領域を表す画像と対応付けて表示することができる。これにより、貼り付け作業時に、第１の範囲内の第２の範囲の領域が、第１の範囲の大きさに対してどのような大きさで配されていたのかを視認可能にして、新聞や雑誌などの文書ｄｃから取り込まれた記事の重要度を判断しやすくさせることができる。
【０１７０】
また、画像表示装置１００によれば、第１の範囲内における第２の範囲の相対的な位置関係に基づいて、第２の範囲の領域を表す画像（例えば、記事画像）を、第１の範囲の外縁を表す画像（例えば、ページ外縁画像）に重ねて表示することができる。これにより、第１の範囲内の第２の範囲の領域が、第１の範囲内のどの位置に、第１の範囲の大きさに対してどのような大きさで配されていたのかを視認可能にして、新聞や雑誌などの文書ｄｃから取り込まれた記事の重要度を判断しやすくさせることができる。また、第１の範囲の外縁を表す画像を表示することにより、第１の範囲の領域全面を表す画像（例えば、ページ画像）を表示する場合に比べて視認性を向上させることができるとともに、処理データ量を抑えて処理速度を向上させることができる。
【０１７１】
また、画像表示装置１００によれば、テーブル１４０の載置面上に表示された記事サムネイルが指定された際に、指定された記事サムネイルに対応する外縁サムネイルを、当該記事サムネイルと対応付けて表示することができる。これにより、貼り付け作業時に、文書ｄｃから取り込まれた記事画像をそのままの大きさで載置面上に表示する場合に比べて表示スペースを削減することができる。
【０１７２】
また、画像表示装置１００によれば、指定された記事サムネイルが貼付先フォームＦ上に移動されたことに応じて、当該記事サムネイルに換えて、記事画像を表示するとともに、ページ外縁画像を当該記事画像と対応付けて表示することができる。これにより、貼付先フォームＦ上に記事画像を配置する際には、記事画像の実際の大きさを確認させつつ、記事の重要度を判断させることができる。
【０１７３】
これらのことから、画像表示装置１００によれば、貼り付け作業時に、新聞や雑誌などの文書ｄｃから取り込まれた記事が、元の文書ｄｃにおいてどの程度重要であったのかを判断しやすくさせることができる。これにより、例えば、秘書のクリッピング業務などにおいて、新たなレイアウトの資料を作成する際の記事の選定や、記事の配置位置や配置順序を決めやすくさせることができる。また、タップやドラッグといった自然な操作で記事サムネイルや記事画像を指定するだけで、元の文書ｄｃの外縁を表示することができるため、ユーザに追加的な操作を強いることなく貼り付け作業を支援することができる。
【０１７４】
なお、上述した画像表示装置１００の機能は、例えば、タッチパネル式のディスプレイを有するタブレット端末などに適用することもできる。これにより、ディスプレイ上に新聞や雑誌などの文書画像を表示して記事画像の切り抜きを行ったり、ディスプレイ上で記事画像の貼り付けを行ったりする際の作業を支援することができる。
【０１７５】
本実施の形態で説明した画像表示方法は、予め用意されたプログラムをパーソナル・コンピュータやワークステーション等のコンピュータで実行することにより実現することができる。本画像表示プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本画像表示プログラムは、インターネット等のネットワークを介して配布してもよい。
【０１７６】
上述した実施の形態に関し、さらに以下の付記を開示する。
【０１７７】
（付記１）第１の範囲内の第２の範囲の領域を特定する情報が指定された際に、前記第２の範囲の領域を特定する情報と前記第１の範囲の領域を特定する情報とを対応付けて記憶する記憶部を参照して、前記第１の範囲の領域を表す画像を、前記第２の範囲の領域を表す画像と対応付けて表示する、
制御部を有することを特徴とする画像表示装置。
【０１７８】
（付記２）前記第１の範囲の領域を特定する情報は、前記第１の範囲の外縁を特定する情報を含み、
前記制御部は、
前記第２の範囲の領域を特定する情報が指定された際に、前記記憶部を参照して、前記第１の範囲の外縁を表す画像を、前記第２の範囲の領域を表す画像と対応付けて表示する、ことを特徴とする付記１に記載の画像表示装置。
【０１７９】
（付記３）前記制御部は、
前記第１の範囲内における前記第２の範囲の相対的な位置関係に基づいて、前記第２の範囲の領域を表す画像を、前記第１の範囲の外縁を表す画像に重ねて表示する、ことを特徴とする付記２に記載の画像表示装置。
【０１８０】
（付記４）前記第２の範囲の領域を特定する情報は、前記第２の範囲の領域を縮小表示するサムネイル画像を含み、
前記第１の範囲の領域を特定する情報は、前記第２の範囲の領域と同一比率で前記第１の範囲の外縁を縮小表示するサムネイル画像を含み、
前記制御部は、
前記第２の範囲の領域を縮小表示するサムネイル画像が指定された際に、前記記憶部を参照して、前記第１の範囲の外縁を縮小表示するサムネイル画像を、前記第２の範囲の領域を縮小表示するサムネイル画像と対応付けて表示する、ことを特徴とする付記２または３に記載の画像表示装置。
【０１８１】
（付記５）前記制御部は、
前記第２の範囲の領域を縮小表示するサムネイル画像が所定のフォーム上に移動されたことに応じて、当該サムネイル画像に換えて前記第２の範囲の領域を表す画像を表示するとともに、前記第１の範囲の外縁を表す画像を、前記第２の範囲の領域を表す画像と対応付けて表示する、ことを特徴とする付記４に記載の画像表示装置。
【０１８２】
（付記６）前記制御部は、
第１の範囲内の第２の範囲が指定されたことに応じて、前記第１の範囲の領域を特定する情報を、前記第２の範囲の領域を特定する情報と対応付けて前記記憶部に記録する、ことを特徴とする付記１〜５のいずれか一つに記載の画像表示装置。
【０１８３】
（付記７）前記制御部は、
前記第２の範囲の領域を表す画像を拡大または縮小して表示する場合には、前記第１の範囲の領域を表す画像を、前記第２の範囲の領域を表す画像と同一比率で拡大または縮小して表示する、ことを特徴とする付記１〜６のいずれか一つに記載の画像表示装置。
【０１８４】
（付記８）前記第１の範囲は、載置面に置かれた文書を含む範囲であり、
前記第２の範囲は、前記文書内のいずれかの記事を含む範囲である、
ことを特徴とする付記１〜７のいずれか一つに記載の画像表示装置。
【０１８５】
（付記９）第１の範囲内の第２の範囲が指定されたことに応じて、前記第１の範囲の領域を特定する情報を、前記第２の範囲の領域を特定する情報と対応付けて記憶部に記録する、
制御部を有することを特徴とする画像表示装置。
【０１８６】
（付記１０）コンピュータが、
第１の範囲内の第２の範囲の領域を特定する情報の指定を受け付け、
前記第２の範囲の領域を特定する情報が指定された際に、前記第２の範囲の領域を特定する情報と前記第１の範囲の領域を特定する情報とを対応付けて記憶する記憶部を参照して、前記第１の範囲の領域を表す画像を、前記第２の範囲の領域を表す画像と対応付けて表示する、
処理を実行することを特徴とする画像表示方法。
【０１８７】
（付記１１）コンピュータが、
第１の範囲内の第２の範囲の指定を受け付け、
前記第２の範囲が指定されたことに応じて、前記第１の範囲の領域を特定する情報を、前記第２の範囲の領域を特定する情報と対応付けて記憶部に記録する、
処理を実行することを特徴とする画像表示方法。
【０１８８】
（付記１２）コンピュータに、
第１の範囲内の第２の範囲の領域を特定する情報の指定を受け付け、
前記第２の範囲の領域を特定する情報が指定された際に、前記第２の範囲の領域を特定する情報と前記第１の範囲の領域を特定する情報とを対応付けて記憶する記憶部を参照して、前記第１の範囲の領域を表す画像を、前記第２の範囲の領域を表す画像と対応付けて表示する、
処理を実行させることを特徴とする画像表示プログラム。
【０１８９】
（付記１３）コンピュータに、
第１の範囲内の第２の範囲の指定を受け付け、
前記第２の範囲が指定されたことに応じて、前記第１の範囲の領域を特定する情報を、前記第２の範囲の領域を特定する情報と対応付けて記憶部に記録する、
処理を実行させることを特徴とする画像表示プログラム。
【符号の説明】
【０１９０】
１００  画像表示装置
１１０  ヘッド部
１２０  レッグ部
１３０  ベース部
１４０  テーブル
１１１，１１２  第１カメラ
１１３  第２カメラ
１１４  プロジェクタ
２０１  ＣＰＵ
２０２  メモリ
２０３  Ｉ／Ｆ
２０４  ディスクドライブ
２０５  ディスク
５００  記事ＤＢ
６０１  取得部
６０２  生成部
６０３  受付部
６０４  記録部
６０５  表示制御部
６０６  登録部
１２００  ファイルＤＢ
【図１】
0006528622.tif 000002
【図２】
0006528622.tif 000003
【図３】
0006528622.tif 000004
【図４】
0006528622.tif 000005
【図５】
0006528622.tif 000006
【図６】
0006528622.tif 000007
【図７】
0006528622.tif 000008
【図８】
0006528622.tif 000009
【図９】
0006528622.tif 000010
【図１０】
0006528622.tif 000011
【図１１】
0006528622.tif 000012
【図１２】
0006528622.tif 000013
【図１３】
0006528622.tif 000014
【図１４】
0006528622.tif 000015
【図１５】
0006528622.tif 000016
【図１６】
0006528622.tif 000017
【図１７】
0006528622.tif 000018
【図１８】
0006528622.tif 000019
【図１９】
0006528622.tif 000020